【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
ハウジングのない中空糸濾過装置を製造する方法であって、
中空糸の束の端部を圧縮し、切断し、ヒートシールする工程と、
切断した中空糸束の両方の端部を、硬化可能なポッティング材料が充填された別々のポッティングカップに挿入する工程と、
ポッティング材料を硬化させる工程と、
ポッティングカップ及び中空糸の束を切断して開放中空糸を露出させる一方でポッティングカップの一部分を保持する工程と、
ポッティングカップの保持された一部分にエンドキャップハウジングを取り付ける工程と、
２つの熱可塑性部品であって、シールしたときに入口及び出口ポートを形成するように熱可塑性部品の縁部に沿って合わせ穴を有する熱可塑性部品を準備する工程と、
エンドキャップハウジングが前記穴に挿入されるように、中空糸ユニットを２つの熱可塑性部品間に配置する工程と、
２つの熱可塑性部品の周辺縁部を共にシールして閉鎖された濾過装置を形成する工程と
を含む方法。
【請求項２】
前記熱可塑性部品が平面状の可撓性フィルムを含んでおり、当該方法が、さらに、
可撓性フィルムの対向する辺に沿って縦方向に追加のメルトシールを形成して前記可撓性バッグの周辺縁部に沿って２つの追加の区画を有する可撓性バッグを形成する工程と、
前記区画を空気、液体又は泡の少なくとも１種で充填する工程と
を含む、請求項１記載の方法。
【請求項３】
入口及び出口ポートを可撓性バッグの１つの縁部に沿って並列して配置し、２つの平面状の可撓性フィルムを入口及び出口ポートの反対側の辺に沿って溶融シールして可撓性バッグの下端に沿って区画を形成し、前記区画を空気、液体又は泡の少なくとも１種で充填する、請求項２記載の方法。
【請求項４】
前記熱可塑性部品が剛性三次元部品を含んでいるか、或いは前記ポッティング材料がＵＶ硬化性接着剤、可視光硬化性接着剤、熱硬化性接着剤、熱可塑性樹脂、熱硬化性樹脂又はこれらの組合せを含んでいるか、或いは前記エンドキャップハウジングが、中空糸束の反対側で前記エンドキャップハウジングの内径が低減するように先細設計を有しているか、或いは前記エンドキャップハウジングが、接着剤、溶剤接合、ネジ式シール、保持クリップ、メルトシール、圧縮シール、圧入又はこれらの組合せによりポッティングスリーブ、入口ポート及び出口ポートに独立に取り付けられる、請求項１記載の方法。
【請求項５】
前記ポッティングカップが、閉鎖部分が円筒状であり、開放部分が漏斗形状を有するように設計されている、請求項１記載の方法。
【請求項６】
ハウジングのない中空糸濾過装置を製造する方法であって、
巻取装置に沿って縦方向に並んだ中空糸の連続した束を形成する工程と、
巻取装置の設定位置で前記中空糸の束にポッティング材料を適用する工程と、
ポッティング材料を硬化させてポッティングスリーブを形成する工程と、
ポッティングスリーブ及び中空糸の束を切断して開放中空糸を露出させる一方でポッティングスリーブの一部分を保持する工程と、
ポッティングスリーブの保持された一部分にエンドキャップハウジングを取り付ける工程と、
２つの熱可塑性部品であって、シールしたときに入口及び出口ポートを形成するようにフィルムの縁部に沿って合わせ穴を有する熱可塑性部品を準備する工程と、
エンドキャップハウジングが前記穴に挿入されるように、２つの熱可塑性部品の間に中空糸ユニットを配置する工程と、
前記２つの熱可塑性部品の周辺縁部を共にシールして閉鎖された濾過装置を形成する工程と
を含む方法。
【請求項７】
前記熱可塑性部品が平面状の可撓性フィルムを含んでおり、当該方法が、さらに、
平面状の可撓性フィルムの対向する辺に沿って縦方向に追加のメルトシールを形成して、可撓性バッグの周辺縁部に沿って２つの追加の区画を有する前記可撓性バッグを形成する工程と、
前記区画を空気、液体又は泡の少なくとも１種で充填する工程と
を含む、請求項６記載の方法。
【請求項８】
入口及び出口ポートを可撓性バッグの１つの縁部に沿って並列して配置し、平面状の可撓性フィルムを入口及び出口ポートの対向する辺に沿って溶融シールして可撓性バッグの下端に沿って区画を形成し、前記区画を空気、液体又は泡の少なくとも１種で充填する、請求項７記載の方法。
【請求項９】
前記熱可塑性部品が剛性三次元部品を含んでいるか、或いは前記ポッティング材料がＵＶ硬化性接着剤、可視光硬化性接着剤、熱硬化性接着剤、熱可塑性樹脂、熱硬化性樹脂又はこれらの組合せを含んでいるか、或いは前記エンドキャップハウジングが、中空糸束の反対側で前記エンドキャップハウジングの内径が低減するように先細設計を有しているか、或いは前記エンドキャップハウジングが、接着剤、溶剤接合、ネジ式シール、保持クリップ、メルトシール、圧縮シール、圧入又はこれらの組合せによりポッティングスリーブ、入口ポート及び出口ポートに独立に取り付けられる、請求項６記載の方法。
【請求項１０】
さらに、シーラントコーティングを中空糸の束に適用して中空糸間の接着をもたらす工程を含む、請求項６記載の方法。
【請求項１１】
ハウジングのない中空糸濾過装置を製造する方法であって、
巻取装置に沿って縦方向に並んだ中空糸の連続した束を形成する工程と、
外部充填ポートを含むエンドキャップハウジングを、巻取装置に沿った設定位置で中空糸の束に取り付ける工程と、
中空糸の束に接触するようにポッティング材料を外部充填ポート中に注入する工程と、
ポッティング材料を硬化させてポッティングスリーブを形成する工程と、
エンドキャップハウジングを切断して開放中空糸を露出させる一方でエンドキャップハウジングの一部分を保持し、
２つの熱可塑性部品であって、シールしたときに入口及び出口ポートを形成するように熱可塑性部品の縁部に沿って合わせ穴を有する熱可塑性部品を準備する工程と、
エンドキャップハウジングが前記穴に挿入されるように、前記２つの熱可塑性部品の間に中空糸ユニットを配置する工程と、
前記２つの熱可塑性部品の周辺縁部を共に溶融シールして閉鎖された濾過装置を形成する工程と
を含む方法。
【請求項１２】
前記エンドキャップハウジングを、２つの部品のロッキング接続、オーバーモールディング又はこれらの組合せを使用して取り付けるか、或いは前記ポッティング材料がＵＶ硬化性接着剤、可視光硬化性接着剤、熱硬化性接着剤、熱可塑性樹脂、熱硬化性樹脂又はこれらの組合せを含んでいるか、或いは前記熱可塑性部品が平面状の可撓性フィルムを含んでいるか、或いは前記熱可塑性部品が剛性三次元部品を含んでいるか、或いは前記エンドキャップハウジングを接着剤、溶剤接合、ネジ式シール、保持クリップ、メルトシール、圧縮シール、圧入又はこれらの組合せによって入口ポート及び出口ポートに取り付ける、請求項１１記載の方法。
【請求項１３】
さらに、中空糸の束にシーラントコーティングを適用して中空糸間の接着をもたらす工程を含む、請求項１１記載の方法。
【請求項１４】
さらに、
平面状の可撓性フィルムの対向する辺に沿って縦方向に追加のメルトシールを形成して可撓性バッグの周辺縁部に沿って２つの追加の区画を有する前記可撓性バッグを形成する工程と、
前記区画を空気、液体又は泡の少なくとも１種で充填する工程と
を含む、請求項１３記載の方法。
【請求項１５】
入口及び出口ポートを可撓性バッグの１つの縁部に沿って近接して配置し、平面状の可撓性フィルムを入口及び出口ポートの対向する辺に沿って溶融シールして可撓性バッグの下端に沿って区画を形成し、前記区画を空気、液体又は泡の少なくとも１種で充填する、請求項１４記載の方法。